(57)【要約】      （修正有）【課題】雨水や結露水等の水が屋内側へ流れ込むのを効果的に阻む枠連結構造を提供する。【解決手段】下枠２０の枠幅方向端部側に縦枠３０を接続した枠連結構造において、縦枠３０内に、底部４０ａと、底部４０ａの上方側の空間を環状に覆う周壁部４０ｂとを有する貯水部４０を設け、この貯水部４０に水が流れ込むようにした。より好ましくは、貯水部４０の底部４０ａを、屋内側よりも屋外側が低くなるように形成した。【選択図】図３
2020012313.tif 000002
【特許請求の範囲】
【請求項１】
下枠の枠幅方向端部側に縦枠を接続した枠連結構造において、
前記縦枠内に、底部と、該底部の上方側の空間を環状に覆う周壁部とを有する貯水部を設け、この貯水部に水が流れ込むようにしたことを特徴とする枠連結構造。
【請求項２】
前記貯水部の底部を、屋内側よりも屋外側が低くなるように形成したことを特徴とする請求項１記載の枠連結構造。
【請求項３】
前記貯水部は、前記底部の最低部よりも高い位置に、前記周壁部の下端側を前記下枠に突き合せるとともに、この突き合せ部分の外側を屋外に露出していることを特徴とする請求項２記載の枠連結構造。
【請求項４】
前記突き合せ部分に、弾性を有するシール材を設けたことを特徴とする請求項３記載の枠連結構造。
【請求項５】
前記周壁部の少なくとも一部に前記縦枠を嵌め合わせたことを特徴とする請求項１〜４何れか１項記載の枠連結構造。
【請求項６】
前記貯水部は、前記下枠上に固定されて前記周壁部の周方向の一部を形成する下枠側片部と、前記縦枠の下端側に固定さて前記周壁部の周方向の他の一部を形成する縦枠側片部とを具備していることを特徴とする請求項１〜５何れか１項記載の枠連結構造。
【請求項７】
前記貯水部は、前記下枠側片部と、前記縦枠側片部と、前記縦枠の内壁面とによって前記周壁部を構成していることを特徴とする請求項６記載の枠連結構造。
【請求項８】
前記下枠に前記下枠側片部を固定する工程と、前記下枠に前記縦枠側片部を固定する固定と、前記下枠及び前記下枠側片部に前記縦枠及び前記縦枠側片部を接続して前記貯水部を構成する工程とを含むことを特徴とする請求項６又は７記載の枠連結構造の製造方法。
【発明の詳細な説明】
【技術分野】
【０００１】
本発明は、例えば、開き戸（ドア）や、引戸、シャッター装置等の開閉装置において、開閉体の周囲の枠体を構成する枠連結構造および該枠連結構造の製造方法に関するものである。
【背景技術】
【０００２】
従来、この種の発明には、例えば特許文献１に記載されるように、下枠の左右の端部側に、それぞれ、縦枠を突き合せられるとともに、その突き合せ箇所に形成した突片と挿入溝を嵌め合わせて、これら下枠と縦枠を接続するようにした連結構造が知られている。
このような従来技術によれば、下枠と縦枠が接する部分に隙間が形成されるため、この隙間を介して、外部から雨水が浸入してしまうおそれがある。
このため、下枠と縦枠の接する部分にシリコン等を成分としたシール材を充填したり、浸入した雨水を外部へ逃がすための水抜き孔を設けたりする場合がある。
【先行技術文献】
【特許文献】
【０００３】
【特許文献１】特開２００９−１５００７２号公報
【発明の概要】
【発明が解決しようとする課題】
【０００４】
しかしながら、上記従来技術によれば、下枠と縦枠の接する部分にシール材を充填したとしても、そのシール材の充填が十分でない場合や、該シール材が劣化してひび割れを生じた場合等には、隙間が形成されて、その隙間から雨水が浸入してしまうおそれがある。
また、水抜き孔を設けた場合には、暴風雨時等に、雨水が前記水抜き孔から屋内側へ侵入してしまうおそれがある。
また、縦枠内の空間で発生した結露水が、下枠と縦枠の接する部分の隙間を介して屋内側へ流れてしまうおそれもある。
【課題を解決するための手段】
【０００５】
このような課題に鑑みて、本発明は、以下の構成を具備するものである。
下枠の枠幅方向端部側に縦枠を接続した枠連結構造において、前記縦枠内に、底部と、該底部の上方側の空間を環状に覆う周壁部とを有する貯水部を設け、この貯水部に水が流れ込むようにしたことを特徴とする枠連結構造。
【発明の効果】
【０００６】
本発明は、以上説明したように構成されているので、雨水や結露水等の水が屋内側へ流れ込むのを効果的に阻むことができる。
【図面の簡単な説明】
【０００７】
【図１】本発明に係る枠連結構造を適用したドア装置の一例を示す正面図である。
【図２】縦枠と下枠の連結部分を拡大して示す正面図である。
【図３】図２における(III)-(III)線に沿う断面図であり、破線によるハッチングは貯水可能な空間を示している。
【図４】図２における(IV)-(IV)線に沿う断面図である。
【図５】下枠に下枠側片部を固定する工程を説明する斜視図である。
【図６】下枠及び下枠側片部に縦枠及び縦枠側片部を接続する工程を説明する斜視図である。
【図７】貯水部の構造を示す斜視図である。
【図８】貯水部を構成する手順を（ａ）〜（ｃ）に順次に示す要部横断面図である。図中、一点鎖線は隅肉溶接箇所、破線はシーリング箇所を示す。
【発明を実施するための形態】
【０００８】
本実施の形態では、以下の特徴を開示している。
第一の特徴は、下枠の枠幅方向端部側に縦枠を接続した枠連結構造において、
前記縦枠内に、底部と、該底部の上方側の空間を環状に覆う周壁部とを有する貯水部を設け、この貯水部に水が流れ込むようにした。
この構成によれば、縦枠と下枠の隙間から縦枠内に侵入した水や、縦枠内の結露により発生した水等が、貯水部に流れ込むため、前記水が屋内側へ侵入するのを阻むことができる。
【０００９】
第二の特徴としては、前記貯水部の底部を、屋内側よりも屋外側が低くなるように形成した（図４参照）。
この構成によれば、貯水部内に浸入した水が底部を伝って屋外側へ流れる。このため、屋内側への水の浸入をより効果的に阻むことができる。
【００１０】
第三の特徴として、前記貯水部は、前記底部の最低部よりも高い位置に、前記周壁部の下端側を前記下枠に突き合せるとともに、この突き合せ部分の外側を屋外に露出している（図２、図３及び図８（ｃ）参照）。
この構成によれば、暴風雨等の際に、屋外側から突き合せ部の隙間を通って貯水部内に水が浸入した場合、この水を前記底部を伝って前記最低部側へ流すことができる。そして、貯水部内で前記隙間よりも高い位置まで水が溜まった場合に、この水は、暴風雨が弱まった際等に、前記隙間を逆流して外部へ排水される。
【００１１】
第四の特徴としては、防水性を向上するために、前記突き合せ部分に弾性を有するシール材を設けた（図８（ｃ）参照）。
【００１２】
第五の特徴としては、組立作業性を向上するために、前記周壁部の少なくとも一部に前記縦枠を嵌め合わせた（図７参照）。
【００１３】
第六の特徴として、頑強な構造を得るために、前記貯水部は、前記下枠上に固定されて前記周壁部の周方向の一部を形成する下枠側片部と、前記縦枠の下端側に固定さて前記周壁部の周方向の他の一部を形成する縦枠側片部とを具備している（図３〜図８参照）。
【００１４】
第七の特徴として、頑強且つ生産性の良好な具体的態様を得るために、前記貯水部は、前記下枠側片部と、前記縦枠側片部と、前記縦枠の内壁面とによって前記周壁部を構成している（図３参照）。
【００１５】
第八の特徴は、上記枠連結構造の製造方法であって、前記下枠に前記下枠側片部を固定する工程と、前記下枠に前記縦枠側片部を固定する固定と、前記下枠及び前記下枠側片部に前記縦枠及び前記縦枠側片部を接続して前記貯水部を構成する工程とを含む（図５〜図８参照）。
【００１６】
＜具体的実施態様＞
次に、上記特徴を有する具体的な実施態様について、図面に基づいて詳細に説明する。
【００１７】
図１は、本発明に係る枠連結構造を適用したドア装置の一例を示す。
このドア装置Ａは、矩形枠状の枠体１と、枠体１内に位置するドア本体２とを具備し、ドア本体２を蝶番３を介して開き戸状に開閉する。
なお、以下の説明中、枠体１の厚み方向（図３の上下方向）を「枠厚方向」、枠体１の横幅方向（図１の左右方向）を「枠幅方向」と呼称する場合がある。
【００１８】
枠体１は、上下方向に間隔を置いて設けられた上枠１０及び下枠２０と、これら上枠１０と下枠２０を幅方向端部側で接続する左右の縦枠３０，３０とを具備し、下枠２０と左側の縦枠３０の間、及び下枠２０と右側の縦枠３０の間に、それぞれ本発明に係る枠連結構造Ｘを構成している（図１参照）。
左側の縦枠３０及び枠連結構造Ｘと、右側の縦枠３０及び枠連結構造Ｘは、左右対称である以外は同構造である。
【００１９】
上枠１０は、略水平状に延設された部材であり、左右の縦枠３０，３０の上端部間に接続される。この上枠１０は、ドア装置Ａが設置される躯体開口部の上縁に固定される。
【００２０】
また、下枠２０は、ドア本体２の下方側で略水平状に延設された部材であり、左右の縦枠３０，３０の下端部間に接続される。この下枠２０は、ドア装置Ａが設置される躯体開口部の下縁（例えば床面等）に固定される。
【００２１】
詳細に説明すれば、下枠２０は、図５に示すように、下枠本体２１と、この下枠本体２１の最上面に溶接等によって固定された踏板部２２とから一体に構成される。踏板部２２の枠幅方向の寸法は、下枠本体２１の枠幅方向の寸法よりも短い。したがって、下枠本体２１の枠幅方向の端部側には、踏板部２２によって覆われない部分を有する。この部分に、後述する枠連結構造Ｘが構成され、縦枠３０が接続される。
なお、これら下枠本体２１及び踏板部２２は、予め一体に成形されたものとしてもよい。
【００２２】
下枠本体２１は、その上面に、第一の面２１ａと、該第一の面２１ａよりも屋外側で階段状に低くなった第二の面２１ｂとを有する。
第一の面２１ａは、略水平な平坦面である。また、第二の面２１ｂは、屋外側へ向かって徐々に低くなる傾斜状の平坦面である（図４参照）。
これら第一の面２１ａと第二の面２１ｂの間は、垂直状の接続面２１ｃによって接続されている。
【００２３】
各縦枠３０は、図３に示すように、枠幅方向の一方側（図３によれば左方側）に開口部３０ａを有する横断面略枠状に形成される。
各縦枠３０の下端部は、下枠本体２１の階段状の上面（詳細には、第一の面２１ａ、第二の面２１ｂ及び接続面２１ｃ）に接触する段付き状に形成される。そして、この縦枠３０の下端部は、下枠本体２１の枠幅方向の端部側に略垂直状に接続されて、枠連結構造Ｘを構成している。
【００２４】
枠連結構造Ｘは、下枠２０の枠幅方向端部側と、縦枠３０の下端側との間に、貯水部４０を形成している。
【００２５】
貯水部４０は、底部４０ａと、底部４０ａの上方側の空間を全周にわたって環状に覆う周壁部４０ｂとを具備し、上方を開口した略プール状に構成される。
この貯水部４０は、縦枠３０外から縦枠３０内へ浸入した水や、縦枠３０内の結露水等が流れる込むように設けられる。
【００２６】
底部４０ａは、下枠本体２１の第一の面２１ａ、第二の面２１ｂ及び接続面２１ｃによって構成される階段状の面であり、屋内側よりも屋外側（図４によれば右側）が低くなっている。
【００２７】
周壁部４０ｂは、下枠側片部４１と、縦枠側片部４２と、縦枠３０下端側の内壁面の一部とによって、底部４０ａ上方の空間を全周にわたって環状に覆っている（図３参照）。
【００２８】
下枠側片部４１は、下枠本体２１の第一の面２１ａから第二の面２１ｂにわたって固定され、周壁部４０ｂの周方向の一部を構成する。
詳細に説明すれば、この下枠側片部４１は、図５に示すように、下枠本体２１の第一の面２１ａに突き合せられる第一片部４１ａと、接続面２１ｃ及び第二の面２１ｂに突き合せられる第二片部４１ｂとを一体に有する。
【００２９】
第一片部４１ａは、屋内側（図５によれば左側）で下枠本体２１の枠幅方向に沿う部分と、下枠本体２１の枠厚方向に沿う部分とからなる平面視略Ｌ字状に形成される。
この第一片部４１ａの高さは、貯水部４０の最大貯水高さに相当する。この高さは、貯水部４０に溜まる水が溢れることのないように、適宜に設定される。
【００３０】
第二片部４１ｂは、下枠本体２１の枠幅方向端部側で枠厚方向に沿う部分と、最低部４０ａＬ側で枠幅方向に沿う部分とからなる平面視略Ｌ字状に形成される（図３及び図６参照）。この第二片部４１ｂは、その上半部側が、第一片部４１ａの上端よりも上方へ突出して、縦枠３０との接続代になっている。
【００３１】
また、縦枠側片部４２は、縦枠３０の下端側に固定されて、周壁部４０ｂの周方向の他の一部を形成する。
詳細に説明すれば、この縦枠側片部４２は、下枠側片部４１に対し枠幅方向へ離れた位置で、下枠本体２１の第二の面２１ｂの屋外寄り（図３の下寄り）に設けられ、上方へ立ち上がった板状に形成される。
この縦枠側片部４２は、図６に示すように、縦枠３０の下端側に予め固定されて、縦枠３０の下端側を補強している。
【００３２】
そして、上記構成の貯水部４０は、底部４０ａにおける屋外側の最低部４０ａＬよりも高い位置に、周壁部４０ｂの下端側を下枠本体２１に突き合せた突き合せ部４０ｃを有するとともに、この突き合せ部４０ｃの外側を屋外に露出させている（図３参照）。
この突き合せ部４０ｃは、図８（ｃ）上の破線に沿って、縦枠側片部４２及び縦枠３０の下端側を下枠本体２１に突き合せている部分である。
そして、この突き合せ部４０ｃにおいて、縦枠側片部４２及び縦枠３０と、下枠本体２１とが交差する入隅状部分には、弾性を有するシール材（例えばシリコン等を主成分とするもの）が連続的に充填されている。
【００３３】
次に、上記枠連結構造Ｘの製造手順を、図５〜図８を参照して詳細に説明する。
先ず、図５に示すように、下枠側片部４１が、下枠本体２１の枠幅方向端部側の踏板部２２に覆われていない部分に、突き合せられる。
【００３４】
そして、その突き合せ部分（詳細には、下枠側片部４１と第一の面２１ａの交差部分、下枠側片部４１と第二の面２１ｂの交差部分、及び下枠側片部４１と接続面２１ｃの交差部分）の内側の入隅状部分（図８（ｂ）の一点鎖線に沿う部分）が、下枠本体２１面に沿って連続的に隅肉溶接される。この隅肉溶接は、前記突き合せ部分を、ほぼ隙間なく接続して水密状態にする。
【００３５】
一方、縦枠３０の下端側には、縦枠側片部４２が溶接等によって予め固定されている（図６参照）。
これら縦枠３０及び縦枠側片部４２は、先に固定された下枠側片部４１に対し、上方側から被せるようにして、嵌め合わせられる（図７参照）。
【００３６】
そして、縦枠３０及び縦枠側片部４２の下端側は、下枠本体２１の階段状の面に嵌り合うようにして突き合せられる。この後、縦枠側片部４２と下枠本体２１の突き合せ部分は、複数の点溶接により接続される。
【００３７】
次に、縦枠側片部４２下端と下枠本体２１との突き合せ部分と、この部分よりも屋内側に位置する、縦枠３０と下枠本体２１との突き合わせ部分には、その内側の入隅状部分（図８（ｃ）の破線に沿う部分）に上記シール材が連続的に充填される。この充填作業は、縦枠３０の開口部３０ａ側から行われる。
【００３８】
上記製造手順によれば、縦枠３０の下端側が下枠２０の幅方向の端部側に接続され、縦枠３０内には貯水部４０が構成される。
【００３９】
次に、上記構成の枠連結構造Ｘについて、その特徴的な作用効果を詳細に説明する。
枠連結構造によれば、下枠２０と縦枠３０の接続部分が上述したシール材及び隅肉溶接等により水密されているため、通常は、暴風雨等により、水が吹き付けられた場合でも、その水が枠外から枠内に浸入するのを阻む。
【００４０】
しかしながら、例えば、前記シール材の経年劣化等に起因して、突き合せ部４０ｃに隙間が生じた場合には、その隙間から水が浸入する可能性がある。
このようにして浸入する水は、貯水部４０内にて底部４０ａを伝って最低部４０ａＬ側へ流れる。
この水は、暴風雨の勢いがある程度継続すると、貯水部４０内で、前記隙間よりも高い位置まで蓄積される場合がある。このようにして蓄積される水は、暴風雨の勢いが低下した際に、前記隙間を逆流して外部に排出されたり、自然蒸発したりする。
【００４１】
また、貯水部４０における屋内寄りでは、下枠側片部４１が、下枠本体２１に対し隅肉溶接されているため、貯水部４０内の水が屋内側へ流れるようなことを阻むことができる。
【００４２】
よって、上記構成の枠連結構造Ｘによれば、シール材が劣化して雨水が縦枠３０内に浸入した場合や、縦枠３０内で結露水が発生した場合等に、この水を貯水部４０に貯溜して、屋内側へ流さないようにすることができる。
【００４３】
なお、上記実施態様によれば、下枠本体２１、下枠側片部４１、縦枠側片部４２及び縦枠３０の一部により貯水部４０を構成するようにしたが、他例としては、縦枠３０内に、他の部材と独立した凹状の貯水部を設けた態様や、縦枠３０内における下枠本体２１上面に凹部を設け、この凹部を貯水部とした態様や、縦枠３０を筒状に形成して、この縦枠３０内を貯溜部とした態様等とすることも可能である。
【００４４】
また、上記実施態様によれば、特に好ましい一例として、突き合せ部４０ｃにシール材を設けたが、他例としては、前記シール材を省いた態様とすることも可能である。このようにした場合も、突き合せ部４０ｃの隙間から浸入する水を、貯水部４０内に貯溜して、該水が屋内側へ浸入するのを阻むことができる。
【００４５】
また、上記実施態様によれば、貯水部４０内の最低部４０ａＬ側を閉鎖したが、他例としては、貯水部４０内の最低部４０ａＬ側に屋外側へ連通する水抜き孔を設けて、貯水部４０内の水を屋外側へ排水する構造とすることも可能である。
【００４６】
また、本発明は上述した実施態様に限定されず、本発明の要旨を変更しない範囲で適宜変更可能である。
【符号の説明】
【００４７】
１：枠体
２：ドア本体
１０：上枠
２０：下枠
３０：縦枠
４０：貯水部
４０ａ：底部
４０ｂ：周壁部
４０ｃ：突き合せ部
４１：下枠側片部
４２：縦枠側片部
Ａ：ドア装置
Ｘ：枠連結構造
【図１】
2020012313.tif 000003
【図２】
2020012313.tif 000004
【図３】
2020012313.tif 000005
【図４】
2020012313.tif 000006
【図５】
2020012313.tif 000007
【図６】
2020012313.tif 000008
【図７】
2020012313.tif 000009
【図８】
2020012313.tif 000010